(57)【要約】【課題】体の動きを制限することなく体温データを連続的に計測することができると共に、ネットワークを経由して多数の患者の体温データを一元管理することができる、耳孔式ＳＡＷ体温計及び該体温計による体温管理システムを得る。【解決手段】体温データを計測するための体温計測用リフレクタとＩＤ情報を取得するためのＩＤ用リフレクタとデータ検出パルス信号の受信及び反射パルス信号の送信を行うためのＩＤＴを有したＳＡＷ体温計デバイス及びアンテナをケーシングに内蔵した耳孔式ＳＡＷ体温計と、該耳孔式ＳＡＷ体温計に対しデータ検出パルス信号の送信及び当該耳孔式ＳＡＷ体温計から出力される反射パルス信号の受信を行うと共に、該反射パルス信号を演算処理することにより体温データの計測及びＩＤ情報の取得を行い、更にはネットワークを経由して前記体温データ及びＩＤ情報をサーバーに伝送することができる体温計測装置にて構成する。【選択図】　　　　図１
2004113270.tif 000002
【特許請求の範囲】
【請求項１】
体温データを計測するための体温計測用リフレクタとＩＤ情報を取得するためのＩＤ用リフレクタとデータ検出パルス信号の受信及び反射パルス信号の送信を行うためのＩＤＴを有したＳＡＷ体温計デバイス及びアンテナをケーシングに内蔵し、人体の耳孔内に挿着してコードレスで体温測定が行えることを特徴とした、耳孔式ＳＡＷ体温計。
【請求項２】
上記耳孔式ＳＡＷ体温計に対しデータ検出パルス信号の送信及び当該耳孔式ＳＡＷ体温計から出力される反射パルス信号の受信を行うと共に、該反射パルス信号を演算処理することにより体温データの計測及びＩＤ情報の取得を行い、更にはネットワークを経由して前記体温データ及びＩＤ情報をサーバーに伝送することができる体温計測装置において、前記ＩＤ情報に対応する体温データをサーバーにて連続的に計測し、患者毎にデータベース化することにより体温データをネットワークで一元管理することができることを特徴とした、請求項１に記載の耳孔式ＳＡＷ体温計及び該体温計による体温管理システム。
【発明の詳細な説明】
【０００１】
【発明の属する技術分野】
本発明は、ＳＡＷ（Ｓｕｒｆａｃｅ　Ａｃｏｕｓｔｉｃ　Ｗａｖｅ：弾性表面波）体温計デバイスを内蔵した耳孔式ＳＡＷ体温計により患者の正確な体温データの計測とＩＤ情報の取得を行うことができると共に、ネットワークを経由して多数の患者の体温データを一元管理することができる、耳孔式ＳＡＷ体温計及び該体温計による体温管理システムに関するものである。
【０００２】
【従来の技術】
従来、人体の体温を測る手段として水銀体温計や温度センサーによる電子体温計が使用されていた。また、近年において耳孔内の鼓膜及びその周辺部から放射される赤外線を焦電センサーにて数秒のうちに計測する耳孔式体温計が普及し始めている。
【０００３】
上記水銀体温計や電子体温計又は耳孔式体温計は定期的な検温時間における体温測定に使用するものであり、連続的な体温データが必要な病院等の患者や保育器内の乳幼児等の体温測定を行う場合には、温度センサーを患者の体温計測部位に貼付して体温データをサンプリング計測する手段があるが、該手段における温度センサーには信号線があるため体の動きが制限されてしまうといった問題点があった。該問題点を解決するため、本願出願人による特願２００２−１３１３４６「ＩＤ付きＳＡＷデバイス体温計及び該体温計による体温管理システム」においては、ＳＡＷデバイス体温計から出力される反射パルス信号を受信して演算処理することにより体温測定を行うことができる、コードレスのＩＤ付きＳＡＷデバイス体温計を提案した。
【０００４】
【発明が解決しようとする課題】
しかしながら、上記温度センサー又はＳＡＷデバイス体温計は、患者の体表面における体温計測部位に貼付して体温データをサンプリング計測する方式ため、外気や衣服等による温度変化の影響を受け易く、正確な体温測定を行うことができないといった問題点があった。
【０００５】
本発明は、以上のような問題点を解決するために提案されたものであり、ＳＡＷ体温計デバイスを内蔵した耳孔式ＳＡＷ体温計により患者の正確な体温データの計測とＩＤ情報の取得を行うことができ、更には信号線がないことにより体の動きを制限することなく体温データを連続的に計測することができると共に、ネットワークを経由して多数の患者の体温データを一元管理することができる、耳孔式ＳＡＷ体温計及び該体温計による体温管理システムを提供することを目的とする。
【０００６】
【課題を解決するための手段】
上記課題を解決するため、本発明の耳孔式ＳＡＷ体温計及び該体温計による体温管理システムは、体温データを計測するための体温計測用リフレクタとＩＤ情報を取得するためのＩＤ用リフレクタとデータ検出パルス信号の受信及び反射パルス信号の送信を行うためのＩＤＴを有したＳＡＷ体温計デバイス及びアンテナをケーシングに内蔵した耳孔式ＳＡＷ体温計と、該耳孔式ＳＡＷ体温計に対しデータ検出パルス信号の送信及び当該耳孔式ＳＡＷ体温計から出力される反射パルス信号の受信を行うと共に、該反射パルス信号を演算処理することにより体温データの計測及びＩＤ情報の取得を行い、更にはネットワークを経由して前記体温データ及びＩＤ情報をサーバーに伝送することができる体温計測装置にて構成する。また、前記ＩＤ情報に対応する体温データをサーバーにて連続的に計測し、患者毎にデータベース化することにより体温データの一元管理を行う。
【０００７】
【発明の実施の形態】
本発明の実施の形態を図を用いて説明する。図１は本発明の耳孔式ＳＡＷ体温計を耳孔内に挿着した状態及び測定方法を示した図である。
【０００８】
耳孔式ＳＡＷ体温計１は、ケーシング２において体温データを計測するための体温計測用リフレクタとＩＤ情報を取得するためのＩＤ用リフレクタとデータ検出パルス信号の受信及び反射パルス信号の送信を行うためのＩＤＴを有したＳＡＷ体温計デバイス３を先端部に鼓膜１１及びその周辺部から放射される赤外線を導入するための孔２ａを穿孔したプローブ２ｂに内蔵し、前記ＩＤＴに接続したアンテナ６を本体２ｃに内蔵して構成する。使用時には、該耳孔式ＳＡＷ体温計１のプローブ２ｂをイヤホンのように耳孔１０内に挿着するだけである。
【０００９】
体温測定を行う場合、体温計測装置１２のアンテナ１３より耳孔式ＳＡＷ体温計１に対しデータ検出パルス信号を送信すると当該耳孔式ＳＡＷ体温計１から反射パルス信号が出力される。そして、該反射パルス信号をアンテナ１３で受信して演算処理することにより体温データの計測及びＩＤ情報の取得を行うことができる。該体温データはＬＣＤ等のモニタ部２３に表示したりネットワーク２４を経由して体温データ及びＩＤ情報をサーバーに伝送することができる。
【００１０】
図２は本発明の耳孔式ＳＡＷ体温計に内蔵するＳＡＷ体温計デバイスの構造を示した一実施例図であり、ＳＡＷ体温計デバイス３の基板４上の略中央部にＩＤＴ５（Ｉｎｔｅｒｄｉｇｉｔａｌ　Ｔｒａｎｓｄｕｃｅｒｓ）を配設し、左側部に２本のリフレクタで構成される体温計測用リフレクタ７をＩＤＴ５と平行に配設し、更に右側部に多数のリフレクタで構成されるＩＤ用リフレクタ８をＩＤＴ５と平行に配設してある。前記ＩＤ用リフレクタ８は、ＩＤＴ５に対し手前側が短く奥側が長いリフレクタを当該リフレクタの基板内部側の先端の包絡線がＶ字型を成すと共に各ビットが交互にクシ型を成すように配設する。また、各ＩＤ用リフレクタ８の基板端部側にＩＤ設定用ヒューズ９を配設する。また、ＩＤＴ５の両端部を接続したアンテナ端子Ａに外部のアンテナ６を接続する。
【００１１】
上記図２において、基板４の下部側のＩＤＴ５に近い方よりビット１，ビット３，ビット５‥‥ビット２３を配設し、上部側のＩＤＴ５に近い方よりビット２，ビット４，ビット６‥‥ビット２４の計２４本のＩＤ用リフレクタ８を配設してあるため、最大２４ビットのＩＤパターンを発生することができる。なお、ビット２１〜２４まではＶ字型の底部に相当する部分であり、該底部における数ビット分の配設方法はクシ型にした以外は一般的方法である。また、ＩＤ設定用ヒューズ９は、ＩＤ用リフレクタ８のパターン幅に比べ非常に細くして微小抵抗成分を持たせている。
【００１２】
また、図３は本発明の耳孔式ＳＡＷ体温計及び該体温計による体温管理システムにおける体温計測装置の回路ブロック図であり、該体温計測装置１２はアンテナ１３より耳孔式ＳＡＷ体温計１に対しデータ検出パルス信号を送信したり耳孔式ＳＡＷ体温計１のアンテナ６から送信される体温データ及びＩＤ情報を含む反射パルス信号を受信するためのパルス送受信部１４と、前記データ検出パルス信号の原信号を生成するためのパルス発生部１５と、前記反射パルス信号を増幅するための増幅部１６及び当該反射パルス信号の位相又は振幅を検出するための位相又は振幅検出部１７と、基準温度における基準反射時間間隔を生成するための恒温槽１８及び当該恒温槽１８内に配設された基準ＳＡＷデバイス又は基準パルス発生回路１９と、前記位相又は振幅検出部１７より得られた体温データ及びＩＤ情報を含む反射パルス信号のうち体温データにより反射時間間隔と基準温度における基準ＳＡＷデバイス又は基準パルス発生回路１９の基準反射時間間隔との遅延時間を計測して演算処理することにより体温データを算出したりＩＤパターンによりＩＤ情報を取得するためのデータ処理部２０と、後段のネットワーク２４と接続して当該体温データやＩＤ情報を伝送するためのネットワーク通信部２１と、前記データ処理部２０内のＣＰＵ等を制御するためのプログラムを蓄積し又レジスタとして機能するメモリ部２２と、前記体温データをＬＣＤ等にて表示するためのモニタ部２３等により構成する。
【００１３】
図４はＩＤ設定用ヒューズの溶断によりＩＤ設定を行った状態図であり、データ検出パルス信号に対するＩＤ用リフレクタ８からの反射を有効にするためには、該当ビット端子と共通端子Ｇ間に高圧パルス発生器（図示せず）からの高圧パルスを印加するとＩＤ設定用ヒューズ９は抵抗成分により発熱して溶断し、ＩＤ用リフレクタ８が有効となる。図４では、ビット１，５及び１１のＩＤ設定用ヒューズ９が溶断した状態を示している。このようにして、ＩＤパターンのビット長を予め設定したり、設定したビット長において異なるＩＤパターン発生の設定を行うことができる。例えばビット長を２０ビットとした場合には、ＩＤパターンは２２０−１個の異なるＩＤパターンを発生することができる。そして、該ＩＤパターン内におけるＩＤ情報として、患者識別番号，性別，年齢，診療科名等の複数の情報を入力することができる。
【００１４】
ここで、耳孔式ＳＡＷ体温計１に対しデータ検出パルス信号を体温計測装置１２のアンテナ１３より送信すると、該データ検出パルス信号はアンテナ６で受信された後、ＩＤＴ５より基板４の左右両側に進行する。ここで、左側に進行したデータ検出パルス信号は体温計測用リフレクタ７で反射され、再びＩＤＴ５に戻り体温データを含んだ反射パルス信号としてアンテナ６より出力される。また、右側に進行したデータ検出パルス信号はＩＤ用リフレクタ８で反射され、再びＩＤＴ５に戻りＩＤ情報を含んだ反射パルス信号としてアンテナ６より出力される。なお、ＩＤＴ５における体温計測用リフレクタ７までの距離とＩＤ用リフレクタ８までの距離として、体温計測用リフレクタ７までの距離がＩＤ用リフレクタ８までの距離より短く、先に体温データを含んだ反射パルス信号が送信され次にＩＤ情報を含んだ反射パルス信号が送信されるため、両反射パルス信号が重畳することはない。
【００１５】
また、図５は図２の体温計測用リフレクタにおけるデータ検出パルス信号及び反射パルス信号の関係を示した図であり、耳孔式ＳＡＷ体温計１に対して体温計測装置１２のアンテナ１３よりデータ検出パルス信号Ｐを送信すると、該データ検出パルス信号Ｐはアンテナ６で受信された後、（ａ）図の▲１▼で示すようにＩＤＴ５より基板４の左側に進行し、最初の体温計測用リフレクタ７−１で反射される。ここで、該反射により発生した反射パルス信号をａとする。次に、▲２▼で示すデータ検出パルス信号Ｐは更に左側に進行し、２番目の体温計測用リフレクタ７−２で反射される。ここで、該反射により発生した反射パルス信号をｂとすると、両反射パルス信号ａ，ｂは再びＩＤＴ５に戻りアンテナ６より反射パルス信号として体温計測装置１２のアンテナ１３に対して出力される。
【００１６】
ここで、（ｂ）図で示すように実測体温がＴ１の時の反射パルス信号ａ，ｂの反射時間間隔をｔ１とし、基準温度をＴ２とした時の反射パルス信号ａ，ｂ’の基準反射時間間隔をｔ２とすると、基準温度Ｔ２と実測体温Ｔ１の差は、基準反射時間間隔ｔ２と反射時間間隔ｔ１の差すなわち遅延時間ｔ３を計測することにより求めることができる。該反射時間間隔ｔ１は、体温が高いと短くなり体温が低いと長くなる性質があり、更には体温と反射時間間隔ｔ１の関係式はＩＤＴ５と体温計測用リフレクタ７−１，７−２間の距離及びデータ検出パルス信号Ｐに含まれるキャリア周波数の位相との１次関数で表されるため、基準温度Ｔ２における基準反射時間間隔ｔ２が判れば実測体温Ｔ１が容易に算出することができる。このように、体温計測は反射パルス信号ａ，ｂの反射時間間隔ｔ１の計測のみにより算出できるため、体温計測装置１２と耳孔式ＳＡＷ体温計１との距離には無関係に計測することができる。
【００１７】
次に、ＩＤ用リフレクタ８の反射原理を説明する。図６は図２の２点鎖線部におけるデータ検出パルス信号と反射パルス信号の関係を示した図であり、（ａ）図に示すようにＩＤＴ５から出力されたデータ検出パルス信号ＰがＩＤ用リフレクタ８の１ビット目のリフレクタ８−１と３ビット目のリフレクタ８−３及び５ビット目のリフレクタ８−５により反射される状態を示している。ここで、ＩＤ用リフレクタ８がＶ字型を成すため、３ビット目のリフレクタ８−３は１ビット目のリフレクタ８−１より幅Ｗだけ基板４の内側に延び、５ビット目のリフレクタ８−５は３ビット目のリフレクタ８−３より幅Ｗだけ基板４の内側に延びているものとする。ここで、ＩＤＴ５よりデータ検出パルス信号Ｐが出力されると、１ビット目のリフレクタ８−１より反射パルス信号ｃが発生する。また、３ビット目のリフレクタ８−３の幅Ｗの部分より反射パルス信号ｄが発生すると共に他の部分において１ビット目のリフレクタ８−１を通過したデータ検出力パルス信号Ｐにより反射パルス信号ｄ’が発生する。また、５ビット目のリフレクタ８−５の幅Ｗの部分より反射パルス信号ｅが発生すると共に他の部分において１ビット目のリフレクタ８−１と３ビット目のリフレクタ８−３を通過したデータ検出パルス信号Ｐにより反射パルス信号ｅ’が発生する。ここで、（ｂ）図に示すように反射パルス信号ｄと反射パルス信号ｄ’の時間遅れを無視すると当該反射パルス信号ｄと反射パルス信号ｄ’が重なり合い、反射パルス信号ｅと反射パルス信号ｅ’の時間遅れを無視すると当該反射パルス信号ｅと反射パルス信号ｅ’が重なり合い、ＩＤＴ５よりＬ１の距離にあるリフレクタ８−１が反射する反射パルス信号ｃとＬ３の距離にあるリフレクタ８−３が反射する反射パルス信号ｄとＬ５の距離にあるリフレクタ８−５が反射する反射パルス信号ｅのレベルは減衰することなく忠実にＩＤＴ５に反射されることになる。なお、図６ではビット１，３，５の奇数番目のリフレクタについて説明したが偶数番目のリフレクタについても同様であり、ＩＤ用リフレクタ８の各ビットが交互にクシ型に配設されているため、ビット１，２，３，４，５，６‥‥と順に反射されることになる。
【００１８】
また、図７は図４のＩＤパターンにおけるＩＤ用リフレクタからの反射パルス信号の位置関係を示した図であり、図４に示すように全２４ビット中ビット１，５及び１１のＩＤ設定用ヒューズ９を高圧パルス発生器により溶断したと仮定した場合、ＩＤＴ５より出力されたデータ検出パルス信号Ｐによりビット１のリフレクタ８−１による反射パルス信号ｐ１とビット５のリフレクタ８−５による反射パルス信号ｐ５及びビット１１のリフレクタ８−１１による反射パルス信号ｐ１１のみがＩＤＴ５に反射される。そして、該ＩＤ情報を含んだ反射パルス信号を体温計測装置１２に対し出力することになる。なお、ＩＤ設定用ヒューズ９の溶断を行わなかったビットのＩＤ用リフレクタ８は当該ＩＤ設定用ヒューズ９により共通端子Ｇに接続され、更に当該共通端子Ｇをアンテナ端子Ａ側に接続することにより、どこにデータ検出パルス信号Ｐが当っても減衰して反射は発生しない。このため、ＩＤ設定用ヒューズ９を溶断又は非溶断することによりＩＤパターンのビット長を予め設定したり、設定したビット長において異なるＩＤパターン発生の設定を行うことができることになる。
【００１９】
【実施例】
本発明の実施例を図を用いて説明する。図８は本発明の耳孔式ＳＡＷ体温計及び該体温計による体温管理システムを病院の患者の体温管理システムに応用した一実施例図である。
【００２０】
カーテン２７で仕切られた各病室２８において、各患者２９のベッド３０の頭部側には小物入れやテーブル等が一体となった床頭台３１が設置されている。そこで、該床頭台３１に体温計測装置１２を設置すると共に、該体温計測装置１２内のネットワーク通信部２１を病院内のＬＡＮ等のネットワーク２４に接続し、更に当該ネットワーク２４を経由して上位のサーバー２５に接続する。また、該サーバー２５にはモニタ装置２６を接続する。
【００２１】
体温計測装置１２のアンテナ１３からは、患者２９の耳孔１０内に挿着された耳孔式ＳＡＷ体温計１に対してデータ検出パルス信号Ｐを一定のサンプリング周期にて送信する。次に、該データ検出パルス信号Ｐに反応した耳孔式ＳＡＷ体温計１のアンテナ６からは、当該患者２９の実時間における反射パルス信号が体温計測装置１２のアンテナ１３に対し出力される。なお、該体温計測装置１２から耳孔式ＳＡＷ体温計１へのデータ検出パルス信号Ｐの送信能力は、隣の患者２９の反射パルス信号との混信を防止するため、１ｍ程度が好適である。
【００２２】
体温計測装置１２は、該反射パルス信号中の体温データより反射時間間隔と当該体温計測装置１２内の恒温槽１８内に配設されている基準ＳＡＷデバイス又は基準パルス発生回路１９の基準温度における基準反射時間間隔とを比較して演算処理することにより患者２９の体温を正確に計測することができ、更に該反射パルス信号中のＩＤ情報より患者２９のＩＤ情報を取得することができる。そして、該演算により算出された体温データ及びＩＤ情報をＬＡＮ等のネットワーク２４を経由してサーバー２５に伝送する。なお、前記恒温槽１８は小型の電気式又は電子式ヒーターが一般的であるが、基準ＳＡＷデバイス又は基準パルス発生回路１９自体に定温制御回路を付加したものであっても構わない。
【００２３】
サーバー２５は、上記体温データをＩＤ情報に基づいてデータベース化することにより、患者毎の体温データを連続的に計測することができる。そして、当該患者２９の体温に異常が発生した場合等においては、ネットワーク２４を経由してナースセンター内の端末装置にアラーム出力することが可能である。このようにして、多数の患者２９の連続的な体温データをデータベース化することにより、患者毎の体温データをネットワークで一元管理することが可能となる。
【００２４】
なお、上記サーバー２５に接続したモニタ装置２６は各患者２９の体温データの数値表示やグラフ表示を行うことができ、更にアラーム出力を行うための設定値等を入力することもできる。更にはプリンタ（図示せず）への印字設定を行うことも可能である。
【００２５】
また、上述の説明は体温計測装置１２を床頭台３１に設置した例について述べたが、ベッド３０の頭部側等など任意な場所に設置しても構わない。更には体温測定の対象を病院等の患者とし、ネットワーク２４を経由して多数の患者の体温データの一元管理を行う例について述べたが、オンライン機能やＩＤ情報を利用しないでスタンドアロンで使用するようにすれば、家庭内における病人の体温測定に使用することも可能である。
【００２６】
【発明の効果】
以上述べたように、本発明の耳孔式ＳＡＷ体温計及び該体温計による体温管理システムを病院や老人ホーム又は在宅介護等において実施すれば、耳孔式ＳＡＷ体温計を患者の耳孔内に挿着しておくだけで正確な体温データの連続計測が容易に行うことができるという効果を奏する。また、該耳孔式ＳＡＷ体温計には信号線がなく、更には電子回路やバッテリー等もなく非常に小型であるため、体の動きを制限することがないという効果も奏する。また、ネットワークを経由して多数の患者の連続的な体温データをＩＤ情報に基づきデータベース化することにより、患者毎の体温データをネットワークで一元管理することができるという効果も奏する。
【図面の簡単な説明】
【図１】本発明の耳孔式ＳＡＷ体温計を耳孔内に挿着した状態及び測定方法を示した図である。
【図２】本発明の耳孔式ＳＡＷ体温計に内蔵するＳＡＷ体温計デバイスの構造を示した一実施例図である。
【図３】本発明の耳孔式ＳＡＷ体温計及び該体温計による体温管理システムにおける体温計測装置の回路ブロック図である。
【図４】ＩＤ設定用ヒューズの溶断によりＩＤ設定を行った状態図である。
【図５】図２の体温計測用リフレクタにおけるデータ検出パルス信号と反射パルス信号の関係を示した図である。
【図６】図２の２点鎖線部におけるデータ検出パルス信号と反射パルス信号の関係を示した図である。
【図７】図４のＩＤパターンにおけるＩＤ用リフレクタからの反射パルス信号の位置関係を示した図である。
【図８】本発明の耳孔式ＳＡＷ体温計及び該体温計による体温管理システムを病院の患者の体温管理システムに応用した一実施例図である。
【符号の説明】
１　耳孔式ＳＡＷ体温計
２　ケーシング
３　ＳＡＷ体温計デバイス
４　基板
５　ＩＤＴ
６　アンテナ
７　体温計測用リフレクタ
８　ＩＤ用リフレクタ
９　ＩＤ設定用ヒューズ
１０　耳孔
１１　鼓膜
１２　体温計測装置
１３　アンテナ
１４　パルス送受信部
１５　パルス発生部
１６　増幅部
１７　位相又は振幅検出部
１８　恒温槽
１９　基準ＳＡＷデバイス又は基準パルス発生回路
２０　データ処理部
２１　ネットワーク通信部
２２　メモリ部
２３　モニタ部
２４　ネットワーク
２５　サーバー
２６　モニタ装置
２７　カーテン
２８　病室
２９　患者
３０　ベッド
３１　床頭台
【図１】
2004113270.tif 000003
【図２】
2004113270.tif 000004
【図３】
2004113270.tif 000005
【図４】
2004113270.tif 000006
【図５】
2004113270.tif 000007
【図６】
2004113270.tif 000008
【図７】
2004113270.tif 000009
【図８】
2004113270.tif 000010